(57)【特許請求の範囲】
【請求項１】
電子書籍を構成する複数のページのうち、所定ページに包含されるオブジェクトに対し、ユーザに所定情報を提供するための情報を紐付けて、当該情報を紐付情報として管理する第１管理手段と、
前記オブジェクトが包含される前記所定ページを前記ユーザに提示する制御を実行する提示制御手段と、
前記所定ページが提示された前記ユーザによる第１操作に基づいて、前記オブジェクトに対する指定がなされた場合に、当該指定を受付ける第１受付手段と、
前記指定が受付けられた前記オブジェクトに紐付けられて管理されている前記紐付情報を取得する取得手段と、
前記取得手段により取得された前記紐付情報に基づいて、前記所定情報を前記ユーザに提供する制御を実行する提供制御手段と、
前記ユーザにより指定がなされた１以上の前記オブジェクトの夫々の前記紐付情報を、ストック情報として夫々管理する第２管理手段と、
を備え、
前記提供制御手段は、さらに、前記ストック情報のうち、前記ユーザによる第２操作に基づいて選択される少なくとも１以上の前記ストック情報に基づく情報が包含される、前記所定ページとは独立したファイルを提供する、
情報処理システム。
【請求項２】
前記ファイルを生成するファイル生成手段を備え、
前記ファイル生成手段により生成される前記ファイルは、前記ストック情報に基づいて得られる前記所定情報を含み、通信環境がない場所においても閲覧可能なファイルである、
請求項１に記載の情報処理システム。
【請求項３】
前記ファイル生成手段は、位置情報を含む１以上の前記ストック情報に基づいて、前記ユーザが移動するルートが表示された地図を生成する、
請求項２に記載の情報処理システム。
【請求項４】
前記提示制御手段は、
前記所定ページを前記ユーザに提示する制御として、前記オブジェクトに重畳させて、又は当該オブジェクトの近傍に、前記ユーザが前記オブジェクトの指定を行うためのシンボルを提示する制御を実行する、
請求項１乃至３のうちいずれか１項に記載の情報処理システム。
【請求項５】
前記オブジェクトは、テキストと、静止画像と、動画像とのうち少なくとも１種類が含まれる、
請求項１乃至４のうちいずれか１項に記載の情報処理システム。
【請求項６】
前記第２管理手段は、所定の分類基準、及び所定の分類手法に基づいて、１以上の前記ストック情報を分類して管理する、
請求項１乃至５のうちいずれか１項に記載の情報処理システム。
【請求項７】
前記提示制御手段は、さらに、前記ストック情報を前記所定ページに重畳させて、又は前記所定ページとは独立させて、前記ユーザに提示する制御を実行する、
請求項１乃至６のうちいずれか１項に記載の情報処理システム。
【請求項８】
前記提示制御手段は、さらに、前記紐付情報が紐付けられた前記オブジェクトを含む動画像を再生させる別オブジェクトを、前記所定ページに包含させて、又は前記所定ページに重畳して、前記ユーザに提示する制御を実行する、
請求項１乃至７のうちいずれか１項に記載の情報処理システム。
【請求項９】
前記提示制御手段は、さらに、前記オブジェクトに対する前記指定がなされると、当該オブジェクトに紐付けられた前記紐付情報が前記ストック情報として加えられた旨を示す動画像を、前記所定ページに重畳させて前記ユーザに提示する制御を実行する、
請求項１乃至８のうちいずれか１項に記載の情報処理システム。
【請求項１０】
前記所定ページが提示された前記ユーザによる、前記第１操作とは異なる第２操作に基づいて、前記所定ページとは異なるページへの切り替えを受付ける第２受付手段をさらに備える、
請求項１乃至９のうちいずれか１項に記載の情報処理システム。
【請求項１１】
前記紐付情報は、前記オブジェクトの検索に用いられるキーワードであり、
前記所定情報は、所定の検索用Ｗｅｂサイトで前記キーワードによる検索が行われた検索結果である、
請求項１０に記載の情報処理システム。
【請求項１２】
前記提示制御手段は、さらに、
１以上の前記ユーザの夫々の操作の履歴をタップ情報として記憶し、当該タップ情報に基づいて、当該１以上のユーザの夫々の、又は当該１以上のユーザ全体のヒートマップを生成して提示する制御を実行する、
請求項１０又は１１に記載の情報処理システム。
【請求項１３】
第１受付手段は、
所定操作により表示の倍率が変更された前記所定ページが提示された前記ユーザによる、当該所定操作とは異なる前記第１操作に基づいて、前記オブジェクトに対する指定がなされた場合に、当該指定を受付ける、
請求項１０乃至１２のうちいずれか１項に記載の情報処理システム。
【請求項１４】
前記第２受付手段は、さらに、
所定の操作に基づき前記ユーザに提示されるページとして、前記ストック情報の一覧を示すページと、前記電子書籍を構成する複数のページの一覧を示すページとの切り替えを受付ける、
請求項１０乃至１３のうちいずれか１項に記載の情報処理システム。
【発明の詳細な説明】
【技術分野】
【０００１】
本発明は、情報処理装置システムに関する。
【背景技術】
【０００２】
従来より、電子書籍のページにリンク領域を設けて、当該リンク領域に対する操作を受け付けて所定情報を表示させる技術は存在する。例えば、電子書籍（旅行用ガイドブック）のページに「チケット予約へＧＯ」などと表示されたアイコン（リンク領域）に対する操作が行われると、リンク先となるチケット予約専用のＵＩを表示させる技術が存在する（特許文献１参照）。
【先行技術文献】
【特許文献】
【０００３】
【特許文献１】特許５５３７７２４号公報
【発明の概要】
【発明が解決しようとする課題】
【０００４】
しかしながら、特許文献１を含め従来の技術では、ユーザは、電子書籍（例えば引用文献１の旅行用ガイドブック）のページの閲覧中という限られたタイミングでしか、オブジェクトに関する所定情報（例えば引用文献１ではチケット予約専用のＵＩ）を取得できない。
ところが、電子書籍のページの閲覧中とは別のタイミング、例えば電子書籍の閲覧の終了後等のタイミングにおいて、当該電子書籍に含まれていたオブジェクトに関する所定情報を取得することを要求するユーザも多く存在する。
特許文献１を含む従来の技術では、このような要望に応えることが充分にできていない状況である。【０００５】
本発明は、このような状況に鑑みてなされたものであり、電子書籍のページに登場するオブジェクトに関する所定情報を、任意のタイミングでユーザが容易に取得できるようにすることを目的とする。
【課題を解決するための手段】
【０００６】
上記目的を達成するため、本発明の一態様の情報処理システムは、
電子書籍を構成する複数のページのうち、所定ページに包含されるオブジェクトに対し、ユーザに所定情報を提供するための情報を紐付けて、当該情報を紐付情報として管理する管理手段と、
前記オブジェクトが包含される前記所定ページを前記ユーザに提示する制御を実行する提示制御手段と、
前記所定ページが提示された前記ユーザによる第１操作に基づいて、前記オブジェクトに対する指定がなされた場合に、当該指定を受付ける第１受付手段と、
前記指定が受付けられた前記オブジェクトに紐付けられて管理されている前記紐付情報を取得する取得手段と、
前記取得手段により取得された前記紐付情報に基づいて、前記所定情報を前記ユーザに提供する制御を実行する提供制御手段と、
を備える。
【発明の効果】
【０００７】
本発明によれば、電子書籍のページに登場するオブジェクトに関する所定情報を、任意のタイミングでユーザが容易に取得できる。
【図面の簡単な説明】
【０００８】
【図１】本発明の一実施形態の情報処理システムにより実現可能なサービスの一例の概要を示す図である。
【図２】図１の例のサービスの流れを示すフロー図である。
【図３】図１の例のサービスに用いられるユーザ端末の画面遷移を示す図である。
【図４】図１の例のサービスをＳＮＳのフィードから利用する場合の例を示す図である。
【図５】図１の例のサービスを適用可能な、本発明の一実施形態の情報処理システムの構成を示す図である。
【図６】図５の情報処理システムのうちサーバのハードウェア構成の一例を示すブロック図である。
【図７】図６のサーバの機能的構成のうち、紐付情報提供処理、ＰＤＦ作成支援処理、及びルート生成処理を実行するための機能的構成の一例を示す機能ブロック図である。
【図８Ａ】オブジェクトの紐付情報がＴＩＧストックに保存されたことを示すアニメーションの具体例を示すイメージ図である。
【図８Ｂ】オブジェクトの紐付情報がＴＩＧストックに保存されたことを示すアニメーションの具体例を示すイメージ図である。
【図９】ページめくり操作の具体例を示す図である。
【図１０】本サービスにより提供可能なサービスのうち、ＰＤＦ作成支援サービスの具体例を示す図である。
【図１１】本サービスにより提供可能なサービスのうち、マップルーティングサービスの具体例を示す図である。
【図１２】電子書籍の所定ページに表示される動画像の具体例を示す図である。
【発明を実施するための形態】
【０００９】
以下、本発明の実施形態について図面を用いて説明する。
【００１０】
まず図１乃至図４を参照して、後述する図５の情報処理システムの適用対象となる本サービスの概要について説明する。
【００１１】
図１は、本発明の一実施形態にかかる情報処理システムにより実現可能なサービスの一例（以下、「本サービス」と呼ぶ）の概要を示す図である。
【００１２】
本サービスは、サービス提供者（図示せず）により提供されるサービスの一例であって、電子書籍をユーザのスマートフォン等の端末（後述の図４等のユーザ端末１）で閲覧可能にさせるサービスである。
本サービスでは、電子書籍は、ユーザに譲渡又は貸出しされるものであるとする。また、本実施形態では、ユーザの端末に予めインストールされたＳＮＳ（Ｓｏｃｉａｌ  Ｎｅｔｗｏｒｋｉｎｇ  Ｓｅｒｖｉｃｅ）のアプリケーションソフトウェア（以下、「ＳＮＳアプリ」と呼ぶ）に備えられたＷｅｂサイトの閲覧機能（以下「フィード」とも呼ぶ）により、電子書籍が閲覧されるものとする。
ただし、電子書籍の閲覧の手法は、特に限定されず、例えばブラウザ機能により電子書籍を閲覧する手法を採用してもよいし、電子書籍を閲覧するための専用のアプリケーションソフトウェア（以下、「専用アプリ」と呼ぶ）を用いて電子書籍を閲覧する手法を採用してもよい。
【００１３】
図１には、例えばハワイ旅行のガイドブックの電子書籍の所定ページを示す画像Ｄが描画されている。この画像Ｄは、ユーザの端末に表示される。即ち、ユーザは、端末に表示された画像Ｄを視認することで、電子書籍の所定ページを閲覧することができる。
画像Ｄには、ハワイの観光情報として、ワイキキビーチの様子を示す複数の写真等のオブジェクトが表示されている。
ここで、「オブジェクト」には、画像Ｄに元々被写体として含まれる画像や文字等の領域の他、画像Ｄに重畳されて表示される画像（静止画像又は動画像）等が含まれる。
【００１４】
具体的には例えば、画像Ｄには、「ＷＡＩＫＩＫＩ  ＢＥＡＣＨ  ワイキキビーチ」の文字を示すオブジェクトＪ１が含まれている。
また、画像Ｄには、女性タレント（人物）、女性タレントの衣服（商品）、ホテル（施設）、ヤシの木（動植物）、海（自然物）、銅像（製作物）の夫々を示すオブジェクトＪ２乃至Ｊ７の夫々が含まれている。
ここで、オブジェクトＪ１乃至Ｊ７等各種オブジェクトを個々に区別する必要がない場合、これらをまとめて「オブジェクトＪ」と呼ぶ。
【００１５】
なお、画像Ｄには、ページの全部若しくは一部として構成される動画再生プレイヤ、又はページに重畳させる動画再生プレイヤを、オブジェクトＪ８として含ませることができる。ただし、以下において、特に断りのない限り、オブジェクトＪとは、後述する紐付情報が紐付けられているものを呼び、紐付情報が紐付けられていないもの（例えばオブジェクトＪ８）は含まないものとする。
【００１６】
本サービスでは、ユーザは、所定ページを閲覧中において、当該所定ページに含まれるオブジェクトＪに目が留まった場合、当該オブジェクトＪに関する所定情報（以下、「オブジェクト情報」と呼ぶ）を任意のタイミングで入手することができる。ここで、任意のタイミングとは、所定ページの閲覧中は勿論のこと、当該所定ページとは別のページを閲覧中や、電子書籍自体の閲覧終了後等のタイミングを含む意である。
【００１７】
「オブジェクト情報」は、オブジェクトＪに関するあらゆる情報が含まれるが、本サービスでは、電子書籍そのものからは視認できない情報（他から取得される情報）であるものとする。
例えば、「ＷＡＩＫＩＫＩ  ＢＥＡＣＨ  ワイキキビーチ」の文字を示すオブジェクトＪ１のオブジェクト情報としては、ワイキキビーチの観光情報等が含まれる。
また例えば、女性タレント（人物）を示すオブジェクトＪ２のオブジェクト情報としては、その女性タレントに関する情報、具体的には例えば、名前（芸名）、所属するプロダクション事務所、公開されているプロフィール等が含まれる。
また例えば、女性タレントの衣服（商品）を示すオブジェクトＪ３のオブジェクト情報としては、その衣服に関する情報、具体的には例えば、ブランド名、商品名、購入可能な販売店（ＥＣ（Ｅｌｅｃｔｒｏｎｉｃ  Ｃｏｍｍｅｒｃｅ）サイト含む）等が含まれる。
また例えば、施設（例えば、ホテル）を示すオブジェクトＪ４のオブジェクト情報としては、そのホテルに関する情報、具体的には例えば、ホテル名、住所、交通手段、宿泊プラン等が含まれる。
【００１８】
具体的には、本サービスでは、電子書籍において、ユーザにより指定され得る１以上のオブジェクトＪ毎に、そのオブジェクト情報をユーザに提供するための情報が紐付けられて管理されている。
このように、オブジェクトＪに対して紐付けられた情報であって、そのオブジェクト情報をユーザに提供するための情報を、以下、「紐付情報」と呼ぶ。
【００１９】
「紐付情報」には、ユーザにオブジェクト情報を提供するためのあらゆる情報が含まれる。
例えば、「ＷＡＩＫＩＫＩ  ＢＥＡＣＨ  ワイキキビーチ」の文字を示すオブジェクトＪ１の紐付情報としては、ワイキキビーチの観光情報等（オブジェクト情報）が掲載されたｗｅｂページのＵＲＬ（Ｕｎｉｆｏｒｍ  Ｒｅｓｏｕｒｃｅ  Ｌｏｃａｔｏｒ）を採用することができる。
また例えば、女性タレント（人物）を示すオブジェクトＪ２の紐付情報としては、その女性タレントに関する情報、具体的には例えば、名前（芸名）、所属するプロダクション事務所、公開されているプロフィール等（オブジェクト情報）が掲載されたｗｅｂページのＵＲＬを採用することができる。
また例えば、女性タレントの衣服（商品）を示すオブジェクトＪ３の紐付情報としては、その衣服に関する情報、具体的には例えば、ブランド名、商品名、購入可能な販売店等（オブジェクト情報）が掲載されたｗｅｂページのＵＲＬを採用することができる。具体的には例えば、その衣服（商品）を販売しているＥＣサイトのＵＲＬは、オブジェクトＪ３の紐付情報として採用することが可能である。
また例えば、施設（例えば、ホテル）を示すオブジェクトＪ４のオブジェクト情報としては、そのホテルに関する情報、具体的には例えば、ホテル名、住所、交通手段、宿泊プラン等が掲載されたｗｅｂページのＵＲＬを採用することができる。具体的には例えば、その施設（例えば、ホテル）自体のホームページのＵＲＬや、その施設（例えばホテル）の予約が可能な宿泊予約サイトのＵＲＬ等は、オブジェクトＪ４の紐付情報として採用することが可能である。
【００２０】
さらにいえば、「紐付情報」として、ＵＲＬを採用することは例示に過ぎない。
例えば、オブジェクトＪに関する各種キーワードを紐付情報として採用することもできる。この場合、ユーザの端末やサーバ等は、当該キーワードを用いて所定の検索用Ｗｅｂサイトで検索を行い、その検索結果をオブジェクト情報としてユーザに提供することができる。
【００２１】
また、１つのオブジェクトＪに対して紐付けられる紐付情報の個数は、１個に限定されず、複数個でもよい。
例えば、本サービスにおいて正規とされるＵＲＬを第１紐付情報として採用することもできる。また、そのＵＲＬ以外に、本サービスにより別途抽出された（例えば自動でレコメンド表示された）ＵＲＬを第２紐付情報として採用することもできる。そして、ユーザが、その端末を操作することで、第１紐付情報と第２紐付情報のうち所望の一方を選択することができるようにしてもよい。この場合、選択された方のＵＲＬに存在するｗｅｂサイトが、当該オブジェクトＪのオブジェクト情報としてユーザに提供される。
換言すると、１つのオブジェクトＪに対してユーザに提供されるオブジェクト情報は、１個に限定されず、複数個でもよい。
【００２２】
ユーザは、所定のオブジェクトＪに対応付けられた紐付情報を使用する操作を端末に対してすることで、当該オブジェクトＪのオブジェクト情報の提供を受けることができる。
例えば、紐付情報がＵＲＬである場合、当該紐付情報を使用する操作とは、当該ＵＲＬにアクセスすることを指示する操作である。この場合、当該ＵＲＬに存在するｗｅｂサイトがユーザの端末に表示されることで、そのｗｅｂサイトに掲載されているオブジェクト情報がユーザに提供される。
ここで、サービス提供者（図示せず）は、紐付情報がＵＲＬである場合、ユーザの当該紐付情報を使用する操作により、当該ＵＲＬへのアクセスがあった場合には、そのアクセスの数をカウントして、そのアクセス数に応じて各種の課金の設定を行ってもよい。
【００２３】
ここで、所定のオブジェクトＪに対応付けられた紐付情報を使用する操作のタイミングは、当該オブジェクトＪを含む所定ページの閲覧中に特に限定されず、他のページを閲覧中や、電子書籍の閲覧を終了した後等任意のタイミングとすることが可能である。
このように、所定のオブジェクトＪに対応付けられた紐付情報を使用する操作を任意のタイミングとすることができるように、本サービスでは、当該オブジェクトＪの指定の操作がなされると、当該オブジェクトＪに紐付けられた紐付情報が所定場所（例えば専用アプリ内の所定の格納場所）に格納される。
これにより、ユーザは、その所定場所に格納された１以上の紐付情報のうち、所望の紐付情報を使用する操作を任意のタイミングですることができるようになる。
【００２４】
本実施形態では、紐付情報が対応付けられたオブジェクトＪの領域又はその近傍において、当該オブジェクトＪの指定をする操作（当該紐付情報を所定場所に格納させる操作）の対象となるシンボルが表示される。
ここで、「シンボル」とは、文字（テキスト）、図形、記号若しくはこれらの結合又はこれらと色彩との結合をいう。図形には、画像（静止画像又は動画像）が含まれる。
具体的には例えば、画像Ｄには、「ＴＩＧ」と表示されたシンボルＴが、「ＷＡＩＫＩＫＩ  ＢＥＡＣＨ  ワイキキビーチ」の文字を示すオブジェクトＪ１の近傍に配置されている。
なお、シンボルＴは、予め表示されていてもよいし、オブジェクトＪ１の指定の操作がなされることを予測して、そのような予測がなされた時点で表示させるようにしてもよい。
本サービスでは、オブジェクトＪの指定の操作として、当該オブジェクトＪに対応するシンボルＴに対するタップの操作（以下、単に「タップ」と適宜呼ぶ）が採用されているものとする。即ち、ユーザは、シンボルＴをタップすることで、当該シンボルＴに対応するオブジェクトＪを指定して、そのオブジェクトＪの紐付情報を所定場所に格納させることができる。
具体的には例えば図１の例では、シンボルＴがタップされると、当該シンボルＴに対応するオブジェクトＪ１の紐付情報、即ち、ワイキキビーチの観光情報等（オブジェクト情報）が掲載されたｗｅｂページのＵＲＬが、所定場所に格納される。
【００２５】
ここで、本サービスでは、紐付情報が格納される所定場所として、「ＴＩＧストック」と呼ばれる場所が採用されている。
即ち、ユーザによるシンボルＴのタップにより指定されたオブジェクトＪの紐付情報（オブジェクト情報が掲載されたｗｅｂページのＵＲＬ等）は、ストック情報として、「ＴＩＧストック」に保存されて管理される。
ここで、オブジェクトＪには、テキスト（図１の例ではオブジェクトＪ１）や静止画像（図１の例ではオブジェクトＪ２乃至Ｊ７）の他、動画像も含まれる場合もある。換言すると、テキストと、静止画像と、動画像とが、夫々オブジェクトＪとして電子書籍のページに混在していたとしても、それらに紐付く紐付情報を全てまとめて、ＴＩＧストックに保存することができる（後述する図４参照）。
さらにいえば、紐付情報に基づいて提供されるオブジェクト情報もまた、対応するオブジェクトＪの形態によらず、テキスト、静止画像、動画像等任意の形態を採用することができる。従って、「ＴＩＧストック」は、複数の動画像や静止画を跨ぐ共通のストックページと把握することもできる。
【００２６】
具体的には例えば、ユーザは、所定ページ（画像Ｄ）において「ＴＩＧストック」と表示されたボタンＢ２をタップすることで、「ＴＩＧストック」を端末に表示させることができる。これにより、「ＴＩＧストック」に保存されているストック情報（紐付情報）が一覧表示される。
なお、ストック情報（紐付情報）の一覧表示の形態は、特に限定されないが、本サービスでは、ユーザの視認性を考慮して、当該ストック情報（紐付情報）に紐付けられたオブジェクトＪのサムネイル画像が一覧表示される形態が採用されている
これにより、ユーザは、一覧表示された１以上のストック情報（即ち、ユーザＵにより指定されたオブジェクトＪのサムネイル画像）を容易に視認することができる。
【００２７】
ここで、図１に示すボタンＢ２には、「９９」という数字が表示されているが、これは、「ＴＩＧストック」に保存されているストック情報（紐付情報）の数、即ち紐付情報とオブジェクトＪとが一対一に紐付けられているならば指定されたオブジェクトＪの数を示している。これにより、ユーザは、「ＴＩＧストック」に保存されているストック情報の数を容易に視認することができる。
ここで、サービス提供者（図示せず）は、「ＴＩＧストック」に保存されたストック情報の数（紐付情報とオブジェクトＪとが一対一に紐付けられているならば指定されたオブジェクトＪの数）に応じて各種の課金設定を行ってもよい。
【００２８】
また、所定ページに重畳されるようにＴＩＧストックに格納された紐付情報が一覧表示されている状態で、「ページ一覧」と表示されたボタンＢ１がタップされると、電子書籍を構成する複数のページのうち特別のページとしてＴＩＧストックの内容が表示される。
この特別のページでは、例えばオブジェクト情報のジャンル別に紐付情報が表示されたり、オブジェクト情報の種類（動画、静止画像、又はＷｅｂサイト等の種類）別に紐付情報が表示される。
【００２９】
なお、ユーザＵによりタップされたオブジェクトに紐付情報がその時点で紐付けられていない場合には、紐付情報をユーザＵに提供することができない。このような場合には、ユーザＵがタップしても何ら反応しないようにしてもよいし、紐付情報が紐付けられていない旨を表示させてもよい。
ここで、「紐付情報がその時点で紐付けられていない」とは、電子書籍の発行前（ユーザの端末での閲覧前）のみならず、電子書籍の発行後（ユーザの端末へで一回以上閲覧さえた後）の任意のタイミングにおいて、任意のオブジェクトＪに対して、任意のオブジェクト情報を提供するための任意の紐付情報を対応付けることが可能であることを意味している。
この場合、サービス提供者、電子書籍の発行者の他、ユーザを含む任意の者が、任意のオブジェクトＪに対して、任意のオブジェクト情報を提供するための任意の紐付情報を対応付けることが可能となる機能を、本サービスに設けるようにしてもよい。
また、このようにして任意のタイミングで紐付情報が紐付けられたオブジェクトＪに対しても、「ＴＩＧ」と表記されたシンボルＴが事後的に対応付けられて表示されるようにしてもよい。
【００３０】
また、ユーザは、「ページ一覧」と表示されたボタンＢ１をタップすることで、電子書籍を構成する全てのページの夫々のサムネイル画像を一覧表示させることができる。これにより、ユーザは、複数のページ（そのサムネイル画像）を一度に視認しながら、任意のページを容易に選択して表示させることができる。
【００３１】
また、オブジェクトＪ８は、上述したように紐付情報が対応付けられてないオブジェクトの一例として、動画再生プレイヤを構成している。
ユーザＵは、オブジェクトＪ８をタップすることにより、各種動画像を再生することができる。
【００３２】
動画像再生プレイヤは、オーバーレイで再生されるようにすることもできるし、電子書籍のページ内にはめ込まれた状態のまま再生されるようにすることもできる。
即ち、動画像再生プレイヤは、電子書籍を構成するページを示す画像Ｄに包含される形態で表示されてもよいし、電子書籍とは独立した形態で当該電子書籍に重畳して表示されてもよい。
具体的には例えば、電子書籍のページに表示された動画を示すマーク（例えば図１のオブジェクトＪ８に表示された三角マーク）がタップされた場合は、レイヤーで動画が再生される。即ち、画像Ｄに包含される形態で表示された動画像再生プレイヤによって動画が再生される。
また、図示はしないが、動画像再生プレイヤには、吹き出しのＯＮ／ＯＦＦを切り替えることができるボタン（例えばトグルボタン）を設けることができる。
また、オブジェクトＪ８は、動画像そのものがサムネイル表示されたものであってもよい。
【００３３】
ここで、図示はしないが、オブジェクトＪ８がタップされることで再生される動画像も、特に限定されない。
例えば、所定ページ（画像Ｄ）に含まれる所定のオブジェクトＪのオブジェクト情報（その紐付情報により提供されるオブジェクト情報）が動画像である場合、当該動画像がオブジェクトＪ８内で再生されてもよい。
また例えば、所定ページ（画像Ｄ）に含まれる所定のオブジェクトＪのひとつとして取り扱われる動画像が、オブジェクトＪ８内で再生されてもよい。
【００３４】
さらに、このようにしてオブジェクトＪ８に表示される動画像には、各種各様な被写体が含まれている。このような動画像内の被写体もオブジェクトＪのひとつとして、そのオブジェクト情報を提供可能な紐付情報と紐付けることもできる。
即ち、ユーザは、オブジェクトＪ８に再生されている動画像を視聴中に、当該動画像内の気になった部分（オブジェクトＪ）の指定をする操作（例えばタップの操作）を行うだけで、そのオブジェクトＪに紐付けられた紐付情報を、ストック情報としてＴＩＧストックに保存することができる。
そして、ユーザは、ＴＩＧストックに保存されたその紐付情報を任意のタイミングで使用する操作することで、上述の動画像内の気になった部分（オブジェクトＪ）のオブジェクト情報の提供を受けることができる。
また、動画像から、紐付情報が紐付けられたオブジェクトＪが自動的に抽出されるようにしてもよい。この場合、その後再生される当該動画像において、そのオブジェクトＪ内又はその近傍にシンボルＴが表示されるようにしてもよい。
【００３５】
図２は、このような図１で説明した本サービスの流れを示すフロー図である。
【００３６】
図２には、本サービスの流れを説明するための画像Ｄ１乃至Ｄ６−２が示されている。
画像Ｄ１は、電子書籍を構成する複数のページのうち、所定ページの初期状態を示している。
画像Ｄ２は、所定ページの初回に表示されるチュートリアル画像である。具体的には例えば、画面の真ん中（シンボルＴ）をタップすることで、ページに含まれる商品（オブジェクト情報）を見ることができる旨を示す案内が表示される。
【００３７】
ユーザが、「ＯＫ」と表記されたボタンをタップすると、案内画像が消えて、画像Ｄ３が表示される。
なお、これ以降においては、チュートリアル画像としての画像Ｄ２は表示させないようにすることができる。
【００３８】
ここで、画像Ｄ３においては、その左右の一定領域は、前後のページにめくる（移行させる）指示の操作（例えばタップの操作であり、以下「ページめくり操作」と呼ぶ）がなされる領域とされている。このような領域を、以下、「ページめくり領域」と呼ぶ。
なお、図９を参照して後述するが、シンボルＴと、ページめくり領域とが被る場合は、シンボルＴへのタップの操作が優先されるものとする。
【００３９】
シンボルＴ及びページめくり領域以外における所定の操作（例えばタップの操作）により、吹き出しのＯＮ／ＯＦＦの切替えを行うことができる。即ち、吹き出しがＯＮとなっている場合には、画像Ｄ３に示されるように、表示領域Ｖ１の吹き出しや、表示領域Ｖ２の吹き出し等が表示される。
なお、吹き出しのデフォルトの設定はＯＦＦとなされている。また、ページめくり操作がなされて別のページに移行すると、吹き出しの設定はデフォルトの設定（ＯＦＦ）になる。
吹き出しの設定がＯＮでもＯＦＦでも、シンボルＴに対するタップの操作（オブジェクトＪの指定の操作）は可能であるとする。
【００４０】
ここで、画像Ｄ４に示すように、「ＴＩＧ」と表記されたシンボルＴに対するタップの操作がなされると、当該シンボルＴに対応するオブジェクトＪ１の指定の操作として受け付けられる。
これにより、オブジェクトＪ１の紐付情報（オブジェクトＪ１のサムネイル画像）がストック情報としてＴＩＧストックに保存される。
このとき、オブジェクトＪ１の紐付情報がＴＩＧストックに保存されたことを示すアニメーションが表示される。また、アニメーションの表示とともに又はそれとは独立して、ユーザの端末が振動（バイブレーション）される。
これにより、ユーザＵは、「オブジェクトＪ１の紐付情報がＴＩＧストックに保存された」ことを実感することができる。
紐付情報のＴＩＧストックへの初回保存時には、その旨がメッセージとして表示される。また、それ以降の紐付情報のＴＩＧストックへの保存時には、上述したようにボタンＢ２に表示される数字（ＴＩＧストックに格納されている紐付情報の個数）が１だけインクリメントされる。
なお、オブジェクトＪ１の紐付情報がＴＩＧストックに保存されたことを示すアニメーションの具体例については、図８Ａ及び図８Ｂを参照して後述する。
【００４１】
ストック情報としてＴＩＧストックに保存された１以上のオブジェクトＪの紐付情報（当該オブジェクトＪのサムネイル画像）は、ユーザによりボタンＢ２に対するタップの操作がなされることで、例えば表示領域Ｖ４において一覧表示される。
ユーザは、さらに、所望のオブジェクトＪの紐付情報（当該オブジェクトＪのサムネイル画像）に対してタップの操作をすることで、当該紐付情報に対応するオブジェクト情報の提供を受けることができる。
【００４２】
また、画像Ｄ５に示すように、表示領域Ｖ４（ＴＩＧストックに格納された紐付情報が一覧表示されている表示領域Ｖ４）が所定ページに重畳されている状態で、「ページ一覧」と表示されたボタンＢ１がタップされると、書籍を構成する複数のページのうち特別のページ（画像Ｄ６−１や画像Ｄ６−２）としてＴＩＧストックの内容が表示される。
この特別のページでは、例えばオブジェクト情報のジャンル別に紐付情報が表示されたり（画像Ｄ６−１）、オブジェクト情報の種類（動画、静止画像、又はＷｅｂサイト等の種類）別に紐付情報が表示される（画像Ｄ６−２）。
【００４３】
具体的には例えば、ＴＩＧストックにストック情報として保存された１以上のオブジェクトＪの紐付情報は、基本的には保存された時系列順に管理されるが、カテゴリ等の所定の分類基準及び所定の分類手法に基づいて分類され、ソート等が可能なように管理されている。具体的には、ジャンル別によるストックエリア分けや、種類別によるストックエリア分けによって管理可能になるとともに、ソートによって任意の紐付情報の抽出も可能になる。
ここで、画像Ｄ６−１は、ストック情報として保存された１以上のオブジェクトＪの紐付情報が、対応するオブジェクト情報のジャンル別でストックエリア分けがなされた状態を示している。
即ち、画像Ｄ６−１に示すように、ストック情報として保存された１以上のオブジェクトＪの紐付情報は、例えば「情報」に関連するもの、「買い物」に関連するもの、「地図」に関連するもの、「音楽」に関連するもの等に分類されることが可能になる。
【００４４】
また、画像Ｄ６−２は、ストック情報として保存された１以上のオブジェクトＪの紐付情報が、オブジェクト情報の種類別でストックエリア分けがなされた状態を示している。
即ち、画像Ｄ６−２に示すように、ストック情報として保存された１以上のオブジェクトＪの紐付情報は、例えば「動画」、「静止画」、「ページ」等に分類されることが可能になる。
【００４５】
さらに、図示はしないが、ストック情報（紐付情報）は、ＥＣアイテムだけ、あるいは地図だけ、といったようにカテゴリ毎にソートされて、ユーザにより指定されたカテゴリのみが表示されるようにしてもよい。
また、ストック情報（紐付情報）は、削除が不能とするようにすることもできる。
【００４６】
以上まとめると、ストック情報（紐付情報）が効率よく管理されるので、ユーザの利便性を向上させることができる。
【００４７】
図３は、本サービスの利用に用いられるユーザ端末１の画面遷移を示す図である。
【００４８】
図３に示す「電子書籍基本表示」とは、例えば図２に示す画像Ｄ１の状態を指す。電子書籍基本表示には、所定のＳＮＳのフィードに貼られたリンクからページ遷移することもできる。
上述したように、電子書籍は複数のページで構成されているため、ユーザは、図３に示す「ページめくり」の操作を行うことで、電子書籍のページをめくることができる。即ち、ユーザは、ページめくりの操作をすることで、ページを進めたり戻したりすることができる。ページめくりの操作の具体的態様は特に限定されないが、上述したようにページの左右に設けられたページめくり領域へのタップの操作や、ページの上を指でスワイプする操作を採用することができる。この場合、ページめくりの操作において、ユーザＵがスワイプする操作の長さ（スワイプする指が画面上を摺動する際の指の移動距離）によって、ページめくりが実行されたりキャンセルされたりするようにしてもよい。また、ページの左右に設けられたページめくり領域をユーザＵがタップする操作の長さ（タップする指が画面に接触している時間の長さ）によって、ページめくりが実行されたりキャンセルされたりするようにしてもよい。
ここで、オブジェクトＪを指定する操作はシンボルＴに対するタップの操作とされた。これは、ページめくりの操作と、オブジェクトＪを指定する操作とを明確に区別することにより、ユーザの誤操作を防止するためである。
なお、オブジェクトＪを指定する操作は、タップに限定されるものではなく、ページめくりの操作と誤認識を起こさないような他の操作であってもよい。例えば左右方向にスワイプする操作についてはページめくりの操作とし、直行する上下方向にスワイプする操作についてはオブジェクトＪを指定する操作とするといったように、予め操作を区別して設定しておいてもよい。
【００４９】
また、図示はしないが、電子書籍のページは、所定の操作により拡大表示させたり縮小表示させたりすることができる。例えばピンチアウトの操作により拡大表示させて、ピンチインの操作により縮小表示させることができる。これにより、他の操作（例えばページめくりの操作や、オブジェクトＪを指定する操作）と区別することができるので、ユーザの誤操作を防ぐことができる。
なお、ピンチアウトの操作により電子書籍のページを拡大表示した状態であっても、シンボルＴを指定する操作を行うことができる。
【００５０】
図３に示す「一覧ビュー」とは、電子書籍を構成するすべてのページをサムネイル画像等を用いて一覧表示させた画面を指す。「一覧ビュー」は、図１の画像Ｄ（図２の画像Ｄ４等）が表示された状態で、ボタンＢ１がタップされると表示される。
【００５１】
図３に示す「ＴＩＧストック」は、上述したように、ユーザにより指定されたオブジェクトＪの紐付情報（当該オブジェクトＪのサムネイル画像）が、ストック情報として保存されているページのことをいう。「ＴＩＧストック」は、例えば図２の画像Ｄ５が表示されている状態でボタンＢ１がタップされることで、例えば図２に示す画像Ｄ６−１や画像Ｄ６−２のように表示させることができる。
また、「ＴＩＧストック」に表示された紐付情報（当該オブジェクトＪのサムネイル画像）がタップされると、そのオブジェクトＪのオブジェクト情報（図３でいう各種情報ページ）を表示させることができる。具体的には例えば、紐付情報がＵＲＬである場合には、当該ＵＲＬに存在するｗｅｂページ、即ちオブジェクト情報が掲載されたｗｅｂページがユーザ端末１に表示される。
【００５２】
図３に示す動画再生プレイヤは、電子書籍内のページの一部若しくは全部として構成されるか、又はページに重畳されるオブジェクトであって、各種動画を再生する機能を有するオブジェクトである。動画再生プレイヤに対してタップの操作がなされると、動画像が再生される。なお、上述したように、動画再生プレイヤで再生される動画像にも、紐付情報が紐付けられたオブジェクトＪが包含されている場合がある。このような場合、ユーザは、動画像の再生中でも、オブジェクトＪの指定の操作をすることで、紐付情報をＴＩＧストックに格納させることができる。
【００５３】
図４は、ＳＮＳのフィードから本サービスを利用する場合の例を示す図である。
【００５４】
上述したように、本サービスは、ＳＮＳのフィードから画面遷移させて利用することができる。
【００５５】
例えば、図４の左隅には、ユーザ端末１で利用中のＳＮＳアプリのフィードに表示された電子書籍（ハワイ旅行のガイドブック）の所定ページを指で操作する様子が描画されている。即ち、ユーザＵは、ＳＮＳアプリ内に表示された電子書籍に対して指で操作するだけで、当該電子書籍の閲覧を行うことができるようになる。
【００５６】
ここで、電子書籍を構成するページ（画像Ｄ）には、１以上のオブジェクトＪが包含されている。この場合、オブジェクトＪは、テキスト、静止画像、及び動画像のいずれであってもよい。
画像Ｄに包含された１以上のオブジェクトＪの夫々には、紐付情報が紐付けられている。そして、「ＴＩＧ」と表記されたシンボルＴが、オブジェクトＪに重畳して又はその近傍に表示される。
上述したように、ユーザＵは、画像Ｄに表示されたシンボルＴをタップすることで、タップされたシンボルＴに対応するオブジェクトＪの紐付情報を、ストック情報として「ＴＩＧストック」に保存させることができる。「ＴＩＧストック」に保存された１以上のストック情報は、ユーザＵの任意のタイミングで指定することで、そのオブジェクト情報の提供場所（Ｗｅｂサイト等）に容易にアクセス（ジャンプ）することできる。
このように、ユーザＵは、ＳＮＳを利用中であっても、簡単な操作に基づいて、電子書籍を容易に閲覧することができる。即ち、別タブが開かれることなく容易に電子書籍を閲覧することができる。なお、別タブが開かれるようにすることもできる。
【００５７】
ここで、ＴＩＧストックに保存されたストック情報の数が多い場合には、例えば図２の画像Ｄ５のように一覧表示されたストック情報を、スワイプの操作によって順次表示させることができる。この「スワイプの操作」は、上下方向のスワイプの操作であってもよいし、左右方向のスワイプの操作であってもよい。
ただし、ユーザＵがＳＮＳアプリ内に電子書籍を表示させて閲覧している場合には、ＳＮＳアプリの種類によっては、下方向へのスワイプの操作と、ＳＮＳアプリ内に表示された電子書籍を閉じる操作とが同一の操作となる場合がある。つまり、電子書籍における操作と、ＳＮＳアプリにおける操作との間にバッティングが生じてしまう場合がある。このため、例えばＴＩＧストックに保存されたストック情報の一覧は、左右方向へのスワイプの操作により順次表示させるようにすることもできる。
【００５８】
また、ＴＩＧストックに保存されたストック情報に対するタップの操作がなされると、対応するオブジェクト情報が表示されるが、その後、再度ストック情報の一覧画面を表示させたとしても、ストック情報の状態や、表示されている電子書籍のページの状態が復元されるようにすることができる。
【００５９】
また、紐付情報は、本サービスで管理しているので、例えばキャンペーンの時期など特定の時期に特別のページにジャンプさせる等、動的に変更することができる。
【００６０】
次に、図１乃至図４を用いて上述した本サービスの提供を実現化させる情報処理システム、即ち本発明の一実施形態にかかる情報処理システムの構成について説明する。
図５は、本発明の一実施形態にかかる情報処理システムの構成を示す図である。
【００６１】
図５に示す情報処理システムは、ユーザ端末１と、サーバ２と、外部サーバ３とを含むように構成されている。
ユーザ端末１、サーバ２、及び外部サーバ３の夫々は、インターネット等の所定のネットワークＮを介して相互に接続されている。
【００６２】
ユーザ端末１は、ユーザＵにより操作される情報処理装置であって、例えばパーソナルコンピュータ、スマートフォン、タブレット等で構成される。
【００６３】
サーバ２は、サービス提供者（図示せず）により管理され、ユーザ端末１及び外部サーバ３と適宜通信をしながら、本サービスを実現するための各種処理を実行する。
【００６４】
外部サーバ３は、紐付情報により提供可能となるオブジェクト情報、例えば紐付情報がＵＲＬの場合には当該ＵＲＬに存在している各種Ｗｅｂサイト（オブジェクト情報が掲載されたＷｅｂサイト）を管理する。
【００６５】
図６は、図４の情報処理システムのうちサーバのハードウェア構成の一例を示すブロック図である。
【００６６】
サーバ２は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０とを備えている。
【００６７】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００６８】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００６９】
出力部１６は、液晶等のディスプレイやスピーカ等により構成され、各種情報を画像や音声として出力する。
入力部１７は、例えばキーボード等により構成され、各種情報を出力する。
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（例えば図５のユーザ端末１や外部サーバ３）との間で通信を行う。
【００７０】
ドライブ２０には、磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。
また、リムーバブルメディア３０は、記憶部１８に記憶されている各種データも、記憶部１８と同様に記憶することができる。
【００７１】
なお、図示はしないが、図５のユーザ端末１及び外部サーバ３も、図５に示すハードウェア構成と基本的に同様の構成を有することができる。従って、ユーザ端末１及び外部サーバ３のハードウェア構成の説明については省略する。
【００７２】
このような図６のサーバ２の各種ハードウェアと各種ソフトウェアとの協働により、サーバ２における紐付情報提供処理、ＰＤＦ作成支援処理、及びルート生成処理を含む各種処理の実行が可能になる。その結果、サービス提供者（図示せず）は、ユーザＵに対し、上述の本サービスを提供することができる。
「紐付情報提供処理」とは、ユーザＵにより指定されたオブジェクトＪについての紐付情報を、当該ユーザＵに提供（ストック情報として保存）する処理をいう。
「ＰＤＦ作成支援処理」とは、図１０を参照して後述するＰＤＦ作成サービスを実現させるための処理をいう。
「ルート生成処理」とは、図１１を参照して後述するマップルーティングサービスを実現させるための処理をいう。
以下、ユーザ端末１において実行される、紐付情報提供処理、ＰＤＦ作成支援処理、及びルート生成処理を実行するための機能構成について説明する。
【００７３】
図７は、図６のサーバの機能的構成のうち、紐付情報提供処理、ＰＤＦ作成支援処理、及びルート生成処理を実行するための機能的構成を示す機能ブロック図である。
【００７４】
図７に示すように、サーバ２のＣＰＵ１１においては、紐付情報提供処理の実行が制御される場合、紐付情報管理部１０１と、画像提示制御部１０２と、指定受付部１０３と、取得部１０４と、提供部１０５と、ストック管理部１０６と、切替受付部１０７とが機能する。また、ＰＤＦ作成支援処理の実行が制御される場合、ＰＤＦ作成支援部１０８が機能する。また、ルート生成処理の実行が制御される場合、ルート生成部１０９が機能する。
【００７５】
紐付情報管理部１０１は、電子書籍を構成する複数のページのうち、所定ページに包含されるオブジェクトＪに対し、ユーザにオブジェクト情報を提供するための情報を紐付けて、当該情報を紐付情報として管理する。
具体的には、紐付情報管理部１０１は、書籍ＤＢ１８１に記憶され管理されている電子書籍を構成する複数のページのうち、所定ページを示す画像Ｄに包含されるオブジェクトＪ１乃至Ｊｎの夫々に対し、夫々のオブジェクト情報を提供するための紐付情報の夫々を紐付けて管理する。
夫々の紐付情報が個々に紐付けられたオブジェクトＪ１乃至Ｊｎは、オブジェクトＤＢ１８２に記憶されて管理される。
例えば、図１に示す画像Ｄに包含されるオブジェクトＪ１乃至Ｊ７の夫々は、別々の紐付情報が夫々紐付けられて、オブジェクトＤＢ１８２に記憶されて管理される。
【００７６】
画像提示制御部１０２は、オブジェクトＪ１乃至Ｊｎが包含される所定ページをユーザ端末１に提示する制御を実行する。例えば、画像提示制御部１０２は、図１の画像Ｄを所定ページとしてユーザ端末１に表示させる制御を実行する。
【００７７】
また、画像提示制御部１０２は、電子書籍を構成する複数のページのうち、所定ページをユーザ端末１に提示する制御として、オブジェクトに重畳させて、又は当該オブジェクトの近傍に、ユーザがオブジェクトの指定を行うためのシンボルを提示する制御を実行する。
具体的には例えば、画像提示制御部１０２は、図１の例では、オブジェクトＪ１の近傍にシンボルＴを提示する制御を実行する。
【００７８】
また、画像提示制御部１０２は、ストック情報（紐付情報）を所定ページに重畳させて、又は所定ページとは独立させて、ユーザに提示する制御を実行する。
具体的には、画像提示制御部１０２は、ストック情報として保存されている１以上のオブジェクトＪのサムネイル画像の一覧（例えば「ＴＩＧストック」）を、所定ページ（画像Ｄ）に重畳させて、又は所定ページとは独立させたページとして、ユーザに提示する制御を実行する。
【００７９】
また、画像提示制御部１０２は、所定情報を再生対象とする動画像を、所定ページに包含させて、又は所定ページとは独立させて、ユーザに提示する制御を実行する。
具体的には、画像提示制御部１０２は、所定ページに包含されるオブジェクトＪ自体、又はオブジェクトＪのオブジェクト情報（当該オブジェクトＪの紐付情報により提供されたオブジェクト情報）を再生対象とする動画像を、所定ページ（画像Ｄ）に包含させて、又は所定ページとは独立させて、ユーザＵに提示する制御を実行する。
【００８０】
また、画像提示制御部１０２は、所定オブジェクトＪに対する指定がなされると、ストック情報に当該所定オブジェクトＪが加えられた旨を示す動画像（例えばアニメーション）を、所定ページに重畳させてユーザに提示する制御を実行する。
【００８１】
指定受付部１０３は、所定ページが提示されたユーザによる第１操作に基づいて、オブジェクトに対する指定がなされた場合に、当該指定を受付ける。
具体的には例えば、指定受付部１０３は、ユーザ端末１に表示された画像Ｄに対するユーザＵによるオブジェクトＪｓ（ｓは１乃至ｎのうち任意の整数値）の指定をする操作（例えばタップの操作）がなされた場合に、当該指定を受付ける。
【００８２】
取得部１０４は、指定が受付けられた所定オブジェクトに紐付けられて管理されている紐付情報を取得する。
具体的には例えば、取得部１０４は、ユーザＵによる指定が受付けられたオブジェクトＪｓに紐付けられて管理されている紐付情報を取得する。
【００８３】
提供部１０５は、取得手段により取得された紐付情報に基づいて、オブジェクト情報をユーザ端末１に提供する制御を実行する。
【００８４】
ストック管理部１０６は、指定がなされた１以上の所定オブジェクトの夫々の紐付情報を、ストック情報として管理する。
具体的には、ストック管理部１０６は、ユーザＵによる指定がなされたオブジェクトＪ１乃至Ｊｎの夫々の紐付情報を、ストック情報として、例えば上述の「ＴＩＧストック」に保存して管理する。
また、ストック管理部１０６は、所定の分類基準、及び所定の分類手法に基づいて、１以上のストック情報を分類して管理する。
【００８５】
切替受付部１０７は、所定ページが提示されたユーザによる、第１操作とは異なる第２操作に基づいて、電子書籍を構成する複数のページのうち、表示対象のページの切り替えを受付ける。
具体的には例えば、切替受付部１０７は、所定ページ（画像Ｄ）が提示されたユーザＵによる、オブジェクトＪを指定する操作（例えばシンボルＴに対するタップの操作）とは異なる操作（例えばページ送り領域に対するタップの操作やスワイプの操作）に基づいて、電子書籍を構成する複数のページのうち、所定ページ（画像Ｄとは異なるページ）の切り替えを受付ける。
【００８６】
ＰＤＦ作成支援部１０８は、ＴＩＧストックに紐付情報が保存されている１以上のオブジェクトＪのうち、ユーザＵにより選択された１以上のオブジェクトＪのオブジェクト情報を、ＰＤＦのファイル形式で出力する制御を実行する。
また、ＰＤＦ作成支援部１０８は、ユーザＵにより選択された１以上のオブジェクトＪのオブジェクト情報に位置情報が含まれる場合に、当該オブジェクトＪに施設等の位置をピンドロップ等で示したマップＭを生成する。
【００８７】
ルート生成部１０９は、オブジェクトＪのオブジェクト情報に位置情報が含まれる場合に、ユーザＵにより選択された１以上のオブジェクトＪにアクセスするルートを含むマップＭを生成する。
【００８８】
図８Ａ及び図８Ｂは、オブジェクトの紐付情報がＴＩＧストックに保存されたことを示すアニメーションの具体例を示すイメージ図である。
【００８９】
図８Ａに示すように、シンボルＴを含むオブジェクトＪ１を示す領域がタップされると、当該領域にサムネイルＬが表示される（ステップＳ１）。
すると、表示されたサムネイルＬがそのまま下方に落ちて消える（フェードアウトする）アニメーションが発生する（ステップＳ２）。
【００９０】
また、その後、図８Ｂに示すように、オブジェクトＪ１の紐付情報がＴＩＧストックに保存されたことを示すマークＷがボタンＢ２に重畳して表示されるアニメーションが発生する（ステップＳ３）。
すると、ボタンＢ２に表示された数字（ＴＩＧストックに格納されている紐付情報の個数）がバウンスして加算される。
このように、ユーザＵは、自身が指定したオブジェクトＪ１の紐付情報が、ＴＩＧストックに保存されるまでの過程を、視覚を通じて楽しみながら実感することができる。
【００９１】
図９は、ページめくり操作の具体例を示す図である。
【００９２】
ページめくり操作は、画像Ｄに対する左右へのスワイプの操作、又は左右のページめくり領域Ｖ５及びＶ６に対するタップの操作により行うことができる。なお、上述したように、ページめくり領域Ｖ５及びＶ６とシンボルＴとが被る場合には、シンボルＴへのタップの操作が優先されるものとする。具体的には例えば、ページめくり領域Ｖ５は、シンボルＴ５１及びＴ５２と被っているため、シンボルＴ５１及びＴ５２に対するタップの操作は、ページめくり操作ではなく、オブジェクトＪを指定する操作であると認識される。
【００９３】
また、上述したように、シンボルＴ及びページめくり領域以外へのタップの操作が行われると、吹き出しのＯＮ／ＯＦＦの切替えを行うことができる。また、吹き出しのデフォルトの設定はＯＦＦとなされている。また、ページめくり操作がなされて別のページに移行すると、吹き出しの設定はデフォルトの設定（ＯＦＦ）になる。なお、吹き出しの設定がＯＮでもＯＦＦでも、シンボルＴに対するタップの操作（オブジェクトＪの指定の操作）は可能であるとする。
具体的には、図９の画像Ｄのうちページめくり領域Ｖ５及びＶ６以外の領域Ｖ７へのタップの操作が行われると、吹き出しのＯＮ／ＯＦＦの切替えを行うことができる。
【００９４】
また、上述した本サービスによれば、例えば以下のようなサービスをさらに提供することができる。
図１０は、本サービスにより提供可能なサービスのうち、ＰＤＦ作成支援サービスの具体例を示す図である。
【００９５】
上述の例では、ユーザ端末１の通信環境が確保されていることが前提とされているが、例えばユーザＵが海外からの旅行者である場合など、ユーザ端末１の通信環境が確保されていない場合がある。これに対して、ＴＩＧストックに保存されている紐付情報はＵＲＬである場合が多い。このため、通信環境が確保されていない状態ではユーザＵの利便性が低くなるおそれがある。
そこで、本サービスのうちＰＤＦ作成支援サービスによれば、通信環境がなくともオブジェクト情報を確認可能な、ＰＤＦのファイル形式のファイル（以下、「ＰＤＦファイル」と適宜呼ぶ）として保存することができる。即ち、ユーザＵは、ユーザ端末１の通信環境が確保された場所（例えばホテルや駅など）でＰＤＦ作成支援サービスを利用することができる。これにより、オフラインの状態のユーザ端末１であっても、ＰＤＦビューアでオブジェクト情報をいつでも閲覧することができる。ＰＤＦビューアの「しおり機能」を利用すれば、ユーザＵの利便性はさらに高まる。また、ユーザＵは、ＰＤＦファイルとして保存したオブジェクト情報をプリントアウトして活用することもできる。
【００９６】
なお、「ＰＤＦファイル」とは、上述したように、ＰＤＦのファイル形式のファイルであるが、以下のような特徴を持つ。即ち、ＰＤＦファイルは、作成されたファイル（文書であって文字列や画像などを含む）を、異なる環境のコンピュータで元のレイアウトどおりに表示したり印刷したりすることができるという特徴を有する。また、ＰＤＦファイルは、しおり、リンク、注釈といったファイルを所定の端末上に表示させる際の便利な機能を利用できる。即ち、本実施形態において生成されるファイルはＰＤＦファイルとするが、特にこれに限定されず、このような特徴を有する他のファイル形式が採用されてよい。
【００９７】
図１０には、その具体例が示されている。図１０には、ある地域を観光する予定のユーザＵが当該地域に存在する施設（例えば、観光スポット）を示すオブジェクトＪの指定の操作を行った後における、ＰＤＦ作成支援サービスに係る流れが示されている。そこで、図１０において、ユーザＵによる観光したい負ｋ数の施設の指定の操作の結果として、その複数の施設の夫々のオブジェクト情報にアクセスするためのＵＲＬが紐付情報としてＴＩＧストックに保存されているものとする。
まず、ユーザＵは、ＰＤＦ作成支援サービスを利用する場合、「ＴＩＧストック」と表記されたボタンＢ２をタップする。これにより、ユーザ端末１には、ＴＩＧストックに保存されている紐付情報が表示領域Ｖ４に表示される。そして、ユーザＵは、ＰＤＦのファイル形式で保存したいオブジェクト情報に対応するオブジェクトＪの紐付情報を選択する。即ち、ユーザＵは、ユーザ端末１に表示された紐付情報（オブジェクトＪのサムネイル画像）をタップする。これによりユーザ端末１は、ユーザＵによる紐付情報の選択を受付ける。（ステップＳ１１）。
次に、ユーザＵは、「機能メニュー」と表記されたボタンＢ３をタップする。これにより、ユーザ端末１には、「ＰＤＦ作成」と表記されたボタンＢ４と、「旅日記作成」と表記されたボタンＢ５とが表示領域Ｖ５に表示される。そして、ユーザＵは、ボタンＢ４をタップする（ステップＳ１２）。
すると、ユーザ端末１において、ユーザＵによる紐付け情報の選択に基づいたＰＤＦファイルが作成されて保存される（ステップＳ１３）。
ユーザＵは、ユーザＵ自身が選択した紐付け情報に対応するオブジェクト情報が含まれるＰＤＦファイルを、ＰＤＦビューアで閲覧する。作成されるＰＤＦファイルの態様は特に限定されないが、例えば以下のような態様であってよい。例えば図１０に示すように、１ページ目には、選択された複数の施設（オブジェクトＪ）の夫々の位置がピンドロップによって示されたマップＭが作成されるようにすることもできる。この場合、２ページ目以降は、選択された複数の施設（オブジェクトＪ）の夫々のオブジェクト情報の内容とすることができる。作成されるＰＤＦファイルは、１施設につき１ページとなる場合もあれば、複数の施設で１ページとなる場合もある。また、ユーザＵが自由にレイアウトを組むこともできる。更に言えば、マップＭ上の施設を示すピンドロップには、当該施設のオブジェクト情報が記載された２ページ目へのリンクが設定されていてもよい。
また、ユーザＵは、ステップＳ１２において表示領域Ｖ５に表示された、「旅日記作成」と表記されたボタンＢ５を押下することで、選択した施設を実際に利用した際の感想等を日記として記録しておくこともできる。
【００９８】
このように、ユーザＵは、ＰＤＦ作成支援サービスを利用することにより、通信環境が確保されていない場合であってもオブジェクト情報を参照することができる。また、ユーザＵは、ユーザＵ自身が選択した紐付情報に基づいたＰＤＦファイルを、オリジナルの旅のしおりとして活用することができる。
【００９９】
図１１は、本サービスにより提供可能なサービスのうち、マップルーティングサービスの具体例を示す図である。
【０１００】
ユーザ端末１の表示領域Ｖ４には、ＴＩＧストックに保存されている紐付情報の一覧が示されている。図１１の例も図１０の例と同様に、ある地域に存在する複数の施設がオブジェクトＪであり、その複数の施設の夫々のオブジェクト情報にアクセスするためのＵＲＬが紐付情報としてＴＩＧストックに保存されているものとする。
図１１の左図の例では、表示領域Ｖ４に表示されているＴＩＧストックの一覧に重畳するように、「マップルーティング」と表記されたボタンＢ６が表示されている。
【０１０１】
ユーザＵは、ＴＩＧストックに表示されている紐付情報のうち、自分が訪れたい施設（オブジェクトＪ）のオブジェクト情報として、その施設へのアクセス方法を取得したい場合がある。この場合、ユーザＵは、ユーザ端末１を操作して、その施設を示す紐付情報を選択する操作を行い、そのうえで、「マップルーティング」と表記されたボタンＢ６をタップする。なお、ユーザＵが選択する施設は複数であってもよい。ボタンＢ６がタップされると、図１１の右図に示すようなマップＭが表示される。マップＭには、ユーザＵにより選択された紐付情報に対応する１以上の施設（例えば図１１の右図のＡ乃至Ｄに示す施設）の夫々に、順番でアクセス可能なルートが重畳されて示される。
ここで、ＴＩＧストックに保存されている紐付情報に対応する施設（オブジェクトＪ）には、想定される滞在時間が予め設定されていてもよい。この場合、想定される滞在時間の情報は、マップＭ及びルートと共に提供される。また例えば、複数の施設に順番にアクセスするためのルートが生成される際には、想定される滞在時間と、移動時間とが考慮されてもよい。
また、ＴＩＧストックに保存されている紐付情報に対応する施設（オブジェクトＪ）には、利用料金（例えば施設の入場料金等）も予め設定されていてもよい。この場合、利用料金の情報は、マップＭ及びルートと共にユーザＵに提供される。また例えば、複数の施設に順番にアクセスするためのルートが生成される際には、複数の施設の夫々の利用料金と、複数の施設の間を移動する際に必要となる移動料金（例えば電車やバスの料金）とについても考慮されてもよい。
また、複数の施設に順番にアクセスするためのルートが生成される際には、当該ルートの起点として、ＧＰＳ等で取得されたユーザＵの位置（ユーザ端末１の位置）が採用されてもよい。また、ルートの起点として、予め設定されていた固定地点（例えば、最寄りの駅や、主要駅や、宿泊先のホテル等）が採用されてもよい。
このように、オブジェクトＪが施設や場所である場合、ユーザＵは、その施設や場所へのアクセス方法を直ちに知りたい場合が多い。このため、図１１の左図に示すように、ＴＩＧストックの一覧に重畳するように、ユーザＵがすぐにタップできる位置にボタンＢ６を設けることで、ユーザＵは、オブジェクト情報のうちアクセス方法を直ちに確認できるようになる。
【０１０２】
また例えば、マップルーティングサービスは、以下のように提供されてもよい。
まず、ユーザＵは、本サービスにおいて提供される動画像を含む電子書籍のメニューから、マップルーティングサービスに係る機能を選択する。
次に、ユーザ端末１は、ＴＩＧストックに保存されている紐付情報に対応するオブジェクトＪのうち、位置情報を持つオブジェクトＪだけを一覧表示する。
次に、ユーザＵは、一覧表示されたオブジェクトＪのうち、マップルーティングサービスで提供されるマップＭとして表示したい複数のオブジェクトＪを選択し、ルート表示実行ボタン（図示せず）をタップする。
これにより、ユーザ端末１は、ユーザＵにより選択された複数のオブジェクトＪの位置をピンドロップ等で示したマップＭを生成する。
【０１０３】
このようなマップルーティングサービスにより表示されるマップＭは、上述のＰＤＦ作成支援サービスにより作成されて保存されるＰＤＦファイルに含まれる情報として利用されてもよい。
【０１０４】
図１２は、電子書籍の所定ページに表示される動画像の具体例を示す図である。
【０１０５】
上述したように、オブジェクトＪには動画再生プレイヤが含まれていてもよい。その結果として、ユーザＵは、オブジェクトＪ８をタップすることにより、各種動画像を再生することができた。
しかしながら、本サービスにおいて提供される動画像を含む電子書籍は、以下のように動画像を含む（再生する）こともできる。
図１等を参照して上述したオブジェクトＪ８は、ページに重畳されて表示される動画再生プレイヤであったが、例えば図１２に示す表示領域Ｖ６に表示さされる動画像Ｙは、動画再生プレイヤではなく、画像Ｄの中に埋め込まれた動画像として表示される。このため、上述したオブジェクトＪ８のようにユーザＵが再生ボタンをタップするような動作がなくとも、画像Ｄが表示されると、それに伴い動画Ｙが再生される。つまり、画像Ｄの一部を構成する画像（動画像Ｙ）が自然に動いている印象をユーザＵに与える。また、動画像Ｙは、それ自体がオブジェクトＪとして機能するので、動画像Ｙをタップする操作を行うことで、その紐付情報をＴＩＧストックに保存することができる。
【０１０６】
以上、本発明の一実施形態について説明したが、本発明は、上述の実施形態に限定されるものではなく、本発明の目的を達成できる範囲での変形、改良等は本発明に含まれるものである。
【０１０７】
例えば、上述の実施形態では、ユーザ端末１にインストールされたＳＮＳアプリを起動させることで、ユーザ端末１において本サービスを利用することができるとしている。ただし、これは本サービスを利用するための手法の一例に過ぎない。例えばブラウザを用いたり、ユーザ端末１に専用アプリをインストールすると共に電子書籍をインストールすることで、本サービスを利用できるようにしてもよい。
【０１０８】
例えば、上述の実施形態では、ユーザＵは、ユーザ端末１の表示部（図示せぬディスプレイ）に表示される画像として、電子書籍を閲覧したが、電子書籍のユーザＵへの提示の形態は特にこれに限定されない。例えば、ＶＲ（Ｖｉｒｔｕａｌ  Ｒｅａｌｉｔｙ）を用いて電子書籍をユーザに提示することもできる。この場合、オブジェクトＪの指定等の操作の手法は、各種各様な手法が採用可能であり、例えばユーザＵのジェスチャーを用いた操作やユーザＵの視線を用いた操作を採用することもできる。
【０１０９】
また例えば、上述の実施形態において、オブジェクトＪとして特定されているものは例示に過ぎない。例えば図１の例であれば、上述のオブジェクトＪ１乃至Ｊ７以外に、砂浜、空、雲、ホテル以外の建造物等の任意の被写体をオブジェクトＪとして採用することができる。
即ち、画像ＤにはオブジェクトＪとなれる候補は無数に含まれているので、上述したように、可能な限り多くのオブジェクトＪに紐付情報を予め又は事後的に紐付けておくことで、ユーザＵの利便性をより向上させることができる。
【０１１０】
また例えば、図１等に示す画像Ｄはページの例示に過ぎず、ページは他の構成としてもよい。
【０１１１】
また例えば、上述の実施形態では、図１等に示す「ページ一覧」と表記されたボタンＢ１がタップされると、電子書籍を構成する全てのページの夫々のサムネイル画像が一覧表示され、その中のタップしたページにジャンプする。また、ＴＩＧストックに格納された紐付情報が一覧表示されている状態で、ボタンＢ１がタップされると、ＴＩＧストックの内容が表示される。しかしながら、これらは例示に過ぎない。タップの操作により表示される画像を任意に切り換えることもできる。例えば、ＴＩＧストックに格納された紐付情報が一覧表示されている状態で、ボタンＢ１がタップされた場合に、ＴＩＧストックの内容ではなく、電子書籍を構成する全てのページの夫々のサムネイル画像が一覧表示されるようにしてもよい。
【０１１２】
また例えば、電子書籍内に目次となるページを別途設け、当該ページに表示された各項目をタップすることで、対応するページにジャンプするようにしてもよい。
【０１１３】
また、本発明によれば、上述のサービスに加え、以下のようなサービスを提供することもできる。
即ち、本サービスを利用するユーザＵに対し課金を行う場合、課金の額に応じて、１つのページに包含されるオブジェクトＪの内容が変更されるようにすることができる。
また、ユーザＵが「ＴＩＧ」と表記されたシンボルＴを指定する操作（例えばタップの操作）を行う毎に、投票ができるようにしてもよい。これにより、例えばユーザＵに人気があるオブジェクトＪのランキングを作成することもできる。
また、電子書籍の内容、及びその中に含まれる動画像の内容について、１パターンのみではなく分岐を持たせることもできる。
また、オブジェクトＪからサブストーリーを示す動画像を再生できるようにすることもできる。
また、オープン・クローズ切り替え、即ち、電子書籍を閲覧可能な状態にする操作と、電子書籍を閲覧不可能な状態にする操作とを簡単な操作（例えば所定のボタンへのタップの操作）で切り替えられるようにすることもできる。また、例えば図２の画像Ｄ３に示す吹き出し（ポップアップ画像）の表示の有無をＯＮ／ＯＦＦで切り替えられるようにする。
また、同一ページに同一のオブジェクトＪが複数存在する場合に、吹出しの箇所は１箇所になるように、オブジェクトＪをグルーピングすることができる。
また、ページにワイプ（Ｗｉｐｅ）画面を表示させることもできる。
また、「ＴＩＧストック」に一定数のオブジェクトＪ（ストック情報）を蓄積させることで、所定のイベントが発生するようにすることができる。
また、紐付情報が紐付けられていないオブジェクトについては、ユーザＵによる指定する操作が行われた場合、「ＴＩＧストック」に保存されることなく、直接所定のＵＲＬにアクセスできるようにすることができる。
また、１つのオブジェクトＪに対応するシンボルＴがタップされた場合、複数のリンク先（ジャンプ先）を選択できるようにすることができる。
また、シンボルＴの色が、動画像の色に比べて引き立つ色になるよう自動的に設定されるようにすることができる。
また、動画再生プレイヤから他のページに遷移した後、その動画再生プレイヤに戻ってきたときに、再生位置や「ＴＩＧストック」の内容等が保持されるようにすることができる。
また、「ＴＩＧストック」において、右側にストックさせた紐付情報（オブジェクトＪ）と、左側にストックされた紐付情報（オブジェクトＪ）との扱い、及び処理の手法を分けることができる。
また、過去の「ＴＩＧストック」の履歴から学習することで、ユーザＵが興味を持ちそうな紐付情報（オブジェクトＪ）のみに対し、吹き出し表示させることができる。
また、ユーザＵの属性、過去の「ＴＩＧストック」の履歴から自動的に紐付情報（オブジェクトＪ）を出し分けることができる。
また、紐付情報（オブジェクトＪ）に対する「いいね」を示す操作を行えるようにして、「いいね」の数を可視化させることができる。
また、オブジェクトＪを指定できる領域の形状は、四角形ではなく自由矩形とすることもできる。
また、複数のオブジェクトＪの中で一部のみに紐付情報が紐付けられるようにすることもできる。
また、動画像再生プレイヤにより再生される動画像が、あるシーンになったときに、強調して画面に表示させることができる。
また、紐付情報が紐付けられているオブジェクトＪが表示された領域以外の領域がタップされると、アニメーションが自動再生されるようにすることができる。これにより、視覚的な表現を用いることで、ユーザＵの利便性を高めることができる。
また、紐付情報とオブジェクトＪとの紐付の操作、そのように紐付情報が紐付けられたオブジェクトＪの指定の操作として、音声による操作を採用することができる。
また、紐付情報とオブジェクトＪとの紐付の操作を、複数の指を用いて、一括で行うこともできる。
また、すべてのオブジェクトＪについて、紐付情報の紐付けをすべて自動的に行うことができる。
また、「ＴＩＧストック」は、カスタマイズすることもできる。また、オブジェクトＪの指定のための操作の具体的態様に応じて、その効果に変化を持たせることができる。具体的には例えば、操作角度、タップする時間、ダブルタップ等により、効果に変化を持たせることができる。より具体的には例えばオブジェクトＪに第１紐付情報と第２紐付情報とが対応付けられている場合、深く押下操作がなされると第１紐付情報が保存される一方、２回触る（ダブルタップ）と第２紐付情報が保存されるようにすることができる。
また、紐付情報が紐付けられていないオブジェクトＪに、紐付情報を紐付けることを求めるリクエストを行うことができる。
また、ユーザＵの目の動きによって、オブジェクトＪをストックことができる。
また、ＪＳＯＮフォーマット等、所定の軽量なデータ記述言語を採用することができる。
また、「ＴＩＧストック」のストック情報に動的にアクセスすると負荷が掛かるので、静的ファイルとして出力しておくことができる。これにより、アクセス負荷を低減化させることができる。
また、ＡＰＩ（アプリケーションプログラミングインタフェース）にアクセスする回数を減らすことができる。これにより、動画像をスムーズに再生させることができる。
オブジェクト情報（動画像等）の動きや効果を、紐付情報（ＵＲＬ等）につけるパラメータで制御することができる。
また、複数のオブジェクトの中から、指定可能なオブジェクトＪを自動的に認識することができる。
また、事前教師データを用いて各種機械学習を施すことで、紐付情報が紐付けられたオブジェクトＪを自動で認識できるようにすることができる。
また、１つのオブジェクトＪを編集することで、複数のオブジェクト情報（動画像等）の情報を変更できるようにすることができる。
また、画像解析から、オブジェクトＪの表示領域、紐付情報（ジャンプ先等）を自動的にレコメンドすることができる。
また、紐付情報（ジャンプ先）とオブジェクトＪとの整合性を「％（パーセント）」で表示することができる。
また、所定ページ（画像Ｄ）に表示される各種アイコンを自動で生成できるようにすることができる。
また、人工知能（ＡＩ）により動画像内の物体（オブジェクトＪ）を自動で認識し検査することができる装置を用いることもできる。
また、ヒートマップへの領域の表示、吹出しの表示、及び数値の表示を実現させることができる。即ち、本サービスでは、ユーザＵの操作履歴（以下、「タップ情報」と呼ぶ）がログとして集約・管理されるので、蓄積されたタップ情報に基づいて、電子書籍のヒートマップを作成することができる。これにより、どのようなオブジェクトＪに対しユーザＵが興味を持つかを容易に把握することできる。なお、ユーザＵのタップ情報には、例えば各種画像を表示させる操作の履歴、オブジェクトＪの紐付情報をＴＩＧストックに保存する操作の履歴、オブジェクト情報にページをジャンプさせる操作の履歴等、ユーザＵのあらゆる操作の履歴が含まれる。
また、シークも考慮したデータ集計及びグラフ化をおこなうことができる。
また、タップ数、ストック数、及びジャンプ数（紐付情報に基づく、オブジェクト情報が掲載されたｗｅｂページへのアクセス数）に基づいて、数値が少ないオブジェクトＪに対応するシンボルＴが表示しなくなるようにすることができる。
また、動画像再生中に、全ユーザの総タップ数、総ストック数、総ジャンプ数を表示させることもできる。
また、ＡＩ（人工知能）による自動分析の結果、簡単な所感（コメント）が自動表示されるようにすることができる。
また、どれくらい動画を楽しんでもらえたか、平均との比較ユーザ別の視聴データ等について解析を行うことができる。
【０１１４】
また、上述の実施形態では、ユーザＵによりオブジェクトＪがタップされると、ＴＩＧストックに紐付情報がすぐに保存されるが、これは例示に過ぎない。オブジェクトＪがタップされると、まず、図示せぬダイアログが表示されて、例えば「ストックして後で詳しく見る」といった表記がなされたボタンが表示されるようにしてもよい。この場合、当該ボタンがタップされたことを条件として、ＴＩＧストックに保存される。これにより、例えばユーザＵの誤操作によりＴＩＧストックに保存されてしまった紐付情報を、その都度ユーザＵが削除するような余計な作業が生じることを避けることができる。
【０１１５】
また、図５に示すシステム構成や、図６に示すサーバ２のハードウェア構成は、本発明の目的を達成するための例示に過ぎず、特に限定されない。
【０１１６】
また、図７に示す機能ブロック図は、例示に過ぎず、特に限定されない。即ち、上述した一連の処理を全体として実行できる機能が情報処理システムに備えられていれば足り、この機能を実現するためにどのような機能ブロックを用いるのかは、特に図７の例に限定されない。
【０１１７】
また、機能ブロックの存在場所も、図７に限定されず、任意でよい。
例えば、図７の例で、紐付情報提供処理の実行に必要となる機能ブロック（紐付情報管理部１０１乃至切替受付部１０７）は、サーバ２側が備える構成となっているが、これは例示に過ぎない。例えば専用アプリをユーザ端末１にインストールさせることにより、これらの機能ブロックの少なくとも一部を、ユーザ端末１側が備える構成としてもよい。
また、１つの機能ブロックは、ハードウェア単体で構成してもよいし、ソフトウェア単体で構成してもよいし、それらの組み合わせで構成してもよい。
【０１１８】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【０１１９】
このようなプログラムを含む記録媒体は、各ユーザにプログラムを提供するために装置本体とは別に配布される、リムーバブルメディアにより構成されるだけではなく、装置本体に予め組み込まれた状態で各ユーザに提供される記録媒体等で構成される。
【０１２０】
なお、本明細書において、記録媒体に記録されるプログラムを記述するステップは、その順序に添って時系列的に行われる処理はもちろん、必ずしも時系列的に処理されなくとも、並列的或いは個別に実行される処理をも含むものである。
【０１２１】
また、本明細書において、システムの用語は、複数の装置や複数の手段等より構成される全体的な装置を意味するものである。
【０１２２】
以上まとめると、本発明が適用される情報処理システムは、次のような構成を取れば足り、各種各様な実施形態を取ることができる。
即ち、本発明が適用される情報処理システムは、
電子書籍を構成する複数のページのうち、所定ページ（例えば画像Ｄにより示されるページ）に包含されるオブジェクト（例えば図１のオブジェクトＪ１乃至Ｊ７）に対し、ユーザ（例えばユーザＵ）に所定情報（例えばオブジェクト情報）を提供するための情報を紐付けて、当該情報を紐付情報として管理する管理手段（例えば図７の紐付情報管理部１０１）と、
前記オブジェクトが包含される前記所定ページを前記ユーザに提示する制御を実行する提示制御手段（例えば図７の画像提示制御部１０２）と、
前記所定ページが提示された前記ユーザによる第１操作に基づいて、前記オブジェクトに対する指定がなされた場合に、当該指定を受付ける第１受付手段（例えば図７の指定受付部１０３）と、
前記指定が受付けられた前記オブジェクトに紐付けられて管理されている前記紐付情報を取得する取得手段（例えば図７の取得部１０４）と、
前記取得手段により取得された前記紐付情報に基づいて、前記所定情報を前記ユーザに提供する制御を実行する提供制御手段（例えば図７の提供部１０５）と、
を備える。
これにより、電子書籍のページを閲覧するユーザＵは、電子書籍のページに登場するオブジェクトに関する所定情報を任意のタイミングで取得することができる。
【０１２３】
また、前記提示制御手段は、
前記所定ページを前記ユーザに提示する制御として、前記オブジェクトに重畳させて、又は当該オブジェクトの近傍に、前記ユーザが前記オブジェクトの指定を行うためのシンボル（例えばシンボルＴ）を提示する制御を実行することができる。
これにより、電子書籍のページを閲覧するユーザＵは、電子書籍のページに登場するオブジェクトに関する所定情報を取得することを希望した場合に、例えば「ＴＩＧ」と表記されたシンボルＴをタップするという容易な操作をするだけでよいので、ユーザＵにとって便宜である。
【０１２４】
また、前記オブジェクトは、テキストと、静止画像と、動画像とのうち少なくとも１種類を含めることができる。
これにより、テキスト、静止画像、及び動画像がオブジェクトとして混在する電子書籍に対しても、オブジェクトに関する所定情報をユーザＵは任意のタイミングで取得することができるようになる。よって、各種各様なサービスをユーザＵに提供することができる。
【０１２５】
また、指定がなされた１以上の前記オブジェクトの夫々の前記紐付情報を、ストック情報として夫々管理する第２管理手段（例えば図７のストック管理部１０６）をさらに備えることができる。
これにより、電子書籍のページを閲覧するユーザＵは、電子書籍のページに登場するオブジェクトの紐付情報を、ストック情報として例えば「ＴＩＧストック」等に保存することができるようになるので、オブジェクトに関する所定情報を任意のタイミングで取得することがより一段とできるようになる。
【０１２６】
また、前記第２管理手段は、所定の分類基準、及び所定の分類手法に基づいて、１以上の前記ストック情報を分類して管理することができる。
これにより、ユーザＵは、例えば「ＴＩＧストック」に保存されているストック情報（紐付情報）を所望の分類基準や分類手法に基づいて分類して管理することができるようになるので、ユーザＵにとって便宜である。
【０１２７】
また、前記提示制御手段は、さらに、前記ストック情報を前記所定ページに重畳させて、又は前記所定ページとは独立させて、前記ユーザに提示する制御を実行することができる。
これにより、例えば「ＴＩＧストック」というページとして表示させることができるので、ユーザＵにとって便宜である。
【０１２８】
また、前記提示制御手段は、さらに、前記紐付情報が紐付けられた前記オブジェクトを含む動画像を再生させる別オブジェクト（例えば動画再生プレイヤ）を、前記所定ページに包含させて、又は前記所定ページに重畳して、前記ユーザに提示する制御を実行することができる。
これにより、動画再生プレイヤで再生される動画に含まれるオブジェクトについても、その所定情報（オブジェクト情報等）を任意のタイミングでユーザＵは取得することができるようになる。
【０１２９】
また、前記提示制御手段は、さらに、前記オブジェクトに対する前記指定がなされると、当該オブジェクトに紐付けられた前記紐付情報が前記ストック情報として加えられた旨を示す動画像（例えばアニメーション）を、前記所定ページに重畳させて前記ユーザに提示する制御を実行することができる。
これにより、ユーザＵは、「ＴＩＧストック」等にオブジェクトＪが保存された旨を容易に視認することができる。
【０１３０】
また、前記所定ページが提示された前記ユーザによる、前記第１操作とは異なる第２操作に基づいて、前記所定ページとは異なるページへの切り替えを受付ける第２受付手段（例えば図７の切替受付部１０７）をさらに備えることができる。
これにより、例えば「ページめくり」操作（第２操作の一例）と、オブジェクトＪを指定する操作（第１操作の一例）とを明確に区別することができるので、ユーザＵの誤操作を防ぐことができる。
【０１３１】
また、前記紐付情報を、前記オブジェクトの検索に用いられるキーワードとし、
前記所定情報を、所定の検索用ｗｅｂサイトで前記キーワードによる検索が行われた検索結果とすることができる。
これにより、ユーザＵは、指定したオブジェクトＪに関連するキーワードに係る検索用ｗｅｂサイトでの検索結果を任意のタイミングで取得することが容易にできる。
【０１３２】
また、前記提示制御手段は、さらに、
１以上の前記ユーザの夫々の操作の履歴をタップ情報として記憶し、当該タップ情報に基づいて、当該１以上のユーザの夫々の、又は当該１以上のユーザ全体のヒートマップを生成して提示する制御を実行することができる。
これにより、どのようなオブジェクトＪに対しユーザＵが興味を持つかを容易に把握することできるので、ユーザＵが興味を持つページのレイアウト（例えばオブジェクトＪのレイアウト）に変更することで、電子書籍のユーザＵにおけるヒットが期待できる。
【０１３３】
また、第１受付手段は、
所定操作により表示の倍率が変更（例えば拡大表示）された前記所定ページが提示された前記ユーザによる、当該所定操作とは異なる前記第１操作に基づいて、前記オブジェクトに対する指定がなされた場合に、当該指定を受付けることができる。
これにより、拡大表示した状態でもオブジェクトＪを指定することができる。
【０１３４】
また、前記第２受付手段は、さらに、
所定の操作に基づき前記ユーザに提示されるページとして、前記ストック情報の一覧を示すページと、前記電子書籍を構成する複数のページの一覧を示すページとの切り替えを受付けることができる。
これにより、例えば図１等のボタンＢ２がタップされたときに表示されるページを任意に変更することができる。
【符号の説明】
【０１３５】
１：ユーザ端末、２：サーバ、３：外部サーバ、１１：ＣＰＵ、１２：ＲＯＭ、１３：ＲＡＭ、１４：バス、１５：入出力インターフェース、１６：表示部、１７：入力部、１８：記憶部、１９：通信部、２０：ドライブ、３０：リムーバブルメディア、１０１：紐付情報管理部、１０２：画像提示制御部、１０３：指定受付部、１０４：取得部、１０５：提供部、１０６：ストック管理部、１０７：切替受付部、１８１：書籍ＤＢ、１８２：オブジェクトＤＢ、Ｄ：ユーザ端末に表示される画像、Ｊ：オブジェクト、Ｂ：ボタン、Ｔ：シンボル、Ｐ：ボタン（ページ遷移）、Ｖ：表示領域、Ｎ：ネットワーク、Ｂ：各ボタン、Ｌ：サムネイル、Ｗ：マーク、Ｓ：ステップ
【図１】
0006931445.tif 000002
【図２】
0006931445.tif 000003
【図３】
0006931445.tif 000004
【図４】
0006931445.tif 000005
【図５】
0006931445.tif 000006
【図６】
0006931445.tif 000007
【図７】
0006931445.tif 000008
【図８Ａ】
0006931445.tif 000009
【図８Ｂ】
0006931445.tif 000010
【図９】
0006931445.tif 000011
【図１０】
0006931445.tif 000012
【図１１】
0006931445.tif 000013
【図１２】
0006931445.tif 000014